(57)【特許請求の範囲】
【請求項１】
手を挿入する円筒部を有し、前記円筒部の手を挿入する挿入部に噴出口を持ち、送風機から送風された空気は、前記送風機と前記噴出口を連接するチャンバー部を経由して、前記噴出口より高速噴流を前記円筒部の内部に噴射する手乾燥装置において、前記円筒部の全周に前記噴出口を設置し、前記円筒部の中心軸を回転軸として前記チャンバー部が回転し、前記円筒部の円筒面の全周に等間隔に複数個の噴出口を有し、各々の前記噴出口の間に噴流を発生しない箇所を設置し、前記噴出口から発生する高速噴流の速度ベクトル成分が円筒部の円周面の接線成分をもつことを特徴とする手乾燥装置。
【請求項２】
チャンバー部の回転する動作が、送風機の運転開始と運転停止と一致したことを特徴とする請求項１記載の手乾燥装置。
【請求項３】
噴出口から発生した高速噴流の風速が前記噴出口の直下において７０〜１２０ｍ／ｓであることを特徴とする請求項２記載の手乾燥装置。
【請求項４】
噴出口を円筒部の底面に向かって傾斜させたことを特徴とする請求項３記載の手乾燥装置。
【請求項５】
チャンバー部を二個の軸受で支持することを特徴とする請求項４記載の手乾燥装置。
【請求項６】
チャンバー部の下部側にて、チャンバー部を二個の軸受で支持することを特徴とする請求項５記載の手乾燥装置。
【請求項７】
チャンバー部の送風機との連結する空気通路が円筒形状となっており、前記空気通路の外周部分に軸受を二個使用して支持していることを特徴とする請求項６記載の手乾燥装置。
【請求項８】
円筒部の直径よりも軸受の外径が小さいことを特徴とする請求項７記載の手乾燥装置。
【請求項９】
チャンバー部の高圧空気と接する面に前記高圧空気の圧力による変形を防止するための補強リブを設置したことを特徴とする請求項８記載の手乾燥装置。
【請求項１０】
空気通路の外周部分に高圧空気の漏れを防止するシール構成部をもつことを特徴とする請求項９記載の手乾燥装置。
【請求項１１】
円筒部の円筒面の表面の一部を撥水加工したことを特徴とする請求項１０記載の手乾燥装置。
【請求項１２】
円筒部の円筒面の表面の一部を凹凸形状としたことを特徴とする請求項１１記載の手乾燥装置。
【請求項１３】
円筒部の円筒面を内周に向かって下方に傾斜させたことを特徴とする請求項１２記載の手乾燥装置。
【請求項１４】
円筒部の底面を外周に向かって下方に傾斜させたことを特徴とする請求項１３記載の手乾燥装置。
【請求項１５】
円筒部の中心軸を床に対して垂直としたことを特徴とする請求項１４記載の手乾燥装置。
【請求項１６】
円筒部の中心軸を床に対して傾斜させたことを特徴とする請求項１４記載の手乾燥装置。
【請求項１７】
円筒部の中心軸を床に対して水平としたことを特徴とする請求項１４記載の手乾燥装置。
【請求項１８】
円筒部の底面を内周に向かって下方に傾斜させ、前記底面の中央にドレン穴を設置したことを特徴とする請求項１７記載の手乾燥装置。
【請求項１９】
ドレン穴とドレン排水を貯蔵するドレンタンクを接続するドレンホースが、空気通路の内部を通過する構成としたことを特徴とする請求項１８記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１参照）。
【０００３】
以下、その手乾燥装置について図９および図１０を参照しながら説明する。
【０００４】
図９、図１０に示すように、壁面に固定された本体１０１は、下部に高速噴流を噴き出すノズル部１０２と前記ノズル部１０２から高速噴流を噴き出す方向に設置された水滴回収手段である水受け１０３を付属している。前記ノズル部１０２と前記水受け１０３の間に手を挿入して乾燥させるための処理空間１０４が形成される。本体１０１内には送風手段１０５、発熱手段１０６および制御手段１０７が設けられている。処理空間１０４の中に挿入された手を検知して送風手段１０５および発熱手段１０６に通電するための検知手段１０８を本体１０１の一部に付属している。
【０００５】
上記構成において濡れた手を処理空間１０４に挿入すると、検知手段１０８により手の存在を検知して、送風手段１０５および発熱手段１０６を動作させる。これにより本体下部に設置された吸込口１０９から外部空気を吸込み、送風手段１０５と発熱手段１０６を経由して温風が形成されてノズル部１０２より送風される。このとき差し出した手に温風が当たり、手を乾燥させる。手を引っ込めると検知手段１０８の検出がなくなるので、送風手段１０５および発熱手段１０６は停止する。このような運転の作業を制御手段１０７にて実施する。
【０００６】
手から離れた水滴は水受け１０３に集められるが、ノズル部１０２の送風により飛散しやすくなるため、水受け１０３の前部および側部の突出壁１１０を付属して周囲への飛散を防止する構成になっている。また水受けにて回収した水滴は、水受けにあるドレン穴１１１を通過して、ドレンタンク１１２に一定の量を溜められる。ドレンタンク１１２は定期的にメンテナンスされ回収された水滴を廃棄するようになっている。
【特許文献１】特開平１０−７１１０１号公報
【発明の開示】
【発明が解決しようとする課題】
【０００７】
このような従来の手乾燥装置では、手を乾燥させる場合に、部分的な高速噴流を手に当てても、残水する箇所があり、乾燥する時間が長くなるという課題があり、また手を挿入する空間が狭いため、多人数で使用する場合は、他人の除去した水滴が手乾燥装置に付着しているため、不衛生となる場合があるという課題がある。本発明は、このような従来の課題を解決するものであり、手を挿入した挿入口の全周から高速噴流をまんべんなく、手に当てることで残水する箇所が低減するため乾燥する時間が短くなることができ、また手を挿入する空間が広くなり、手を挿入しやすく衛生的である手乾燥装置を提供することを目的としている。
【０００８】
また、挿入口の全周から高速噴流を手に当てるためには、送風するためのエネルギーが多く必要になるという課題がある。本発明は、このような従来の課題を解決するものであり、チャンバーおよび噴出口を回転させることで風量が少なく、高速噴流が噴射する箇所が少ない場合でも全周から高速噴流を手に当てることで、残水する箇所が低減するため乾燥する時間が短くなることができる手乾燥装置を提供することを目的としている。
【０００９】
また、円筒部の手を挿入する部分から高速噴流が漏れ出たり、手から分離した水滴が使用者に飛散するという課題がある。本発明は、このような従来の課題を解決するものであり、高速噴流が漏れでたり、水滴の飛散が発生しないため、使用者が不快とならないことができる手乾燥装置を提供することを目的としている。
【００１０】
また、チャンバー部の回転の支持をしっかりと実施しないと、チャンバー部がぶれたり、振動を発生するという課題がある。本発明は、このような従来の課題を解決するものであり、チャンバー部の回転をしっかりと支持することで、チャンバー部を安定して回転させることができることができる手乾燥装置を提供することを目的としている。
【００１１】
また、チャンバー部の内部の静圧が大きくなるとチャンバー部が変形したり、空気漏れが発生しやすくなるという課題がある。本発明は、このような従来の課題を解決するものであり、チャンバー部の内部の静圧による荷重に耐久できる強度を持たせ、また空気漏れを発生しない構成とすることができる手乾燥装置を提供することを目的としている。
【００１２】
また、円筒部の円筒面や底面に水滴が付着して残留するという課題がある。本発明は、このような従来の課題を解決するものであり、円筒部の円筒面や底面に水滴が付着しにくく、また付着した水滴を除去できる構成とすることができる手乾燥装置を提供することを目的としている。
【００１３】
また、使用者の背丈や設置方法によって、円筒部に手を挿入しにくい場合があるという課題がある。本発明は、このような従来の課題を解決するものであり、手乾燥装置を床に設置した場合は、円筒部の向きを床に対して垂直または急傾斜させることで、使いやすさを向上できることができる手乾燥装置を提供することを目的としている。
【００１４】
また、使用者の背丈や設置方法によって、円筒部に手を挿入しにくい場合があるという課題がある。本発明は、このような従来の課題を解決するものであり、手乾燥装置を壁面に設置した場合は、円筒部の向きを設置高さに併せて傾斜させることで、使いやすさを向上できることができる手乾燥装置を提供することを目的としている。
【００１５】
また、使用者の背丈や設置方法によって、円筒部に手を挿入しにくい場合があるという課題がある。本発明は、このような従来の課題を解決するものであり、手乾燥装置を洗面所のカウンターに設置した場合は、円筒部の向きを床に対して水平または緩傾斜させることで、使いやすさを向上できることができる手乾燥装置を提供することを目的としている。
【００１６】
また、チャンバー部が回転するため、ドレンホースの取り扱いが困難であるという課題がある。本発明は、このような従来の課題を解決するものであり、ドレン穴とドレンホースを中央に設置して回転軸のある箇所に設置することで邪魔にならないことができる手乾燥装置を提供することを目的としている。
【課題を解決するための手段】
【００１７】
本発明の手乾燥装置は、上記目標を達成するため、手を挿入する円筒部を有し、前記円筒部の手を挿入する挿入部に噴出口を持ち、送風機から送風された空気は、前記送風機と前記噴出口を連接するチャンバー部を経由して、前記噴出口より高速噴流を前記円筒部の内部に噴射する手乾燥装置において、前記円筒部の全周に前記噴出口を設置し、前記円筒部の中心軸を回転軸として前記チャンバー部が回転し、前記円筒部の円筒面の全周に等間隔に複数個の噴出口を有し、各々の前記噴出口の間に噴流を発生しない箇所を設置し、前記噴出口から発生する高速噴流の速度ベクトル成分が円筒部の円周面の接線成分をもつことを特徴とする。そして、本発明によれば手を挿入した全周から高速噴流を手に当てることで残水する箇所が低減するため乾燥する時間が短くなるとともに手を挿入する空間が広くなり、手を挿入しやすく衛生的であることができる手乾燥装置が得られる。また、本発明によればチャンバーを回転させることで風量が少なく高速噴流が噴射する箇所が少ない場合でも全周から高速噴流を手に当てることで、残水する箇所が低減するため乾燥する時間が短くなることができる手乾燥装置が得られる。
【００２１】
また、チャンバー部の回転する動作が、送風機の運転開始と運転停止と一致したことを特徴とする。
【００２２】
また、噴出口から発生した高速噴流の風速が前記噴出口の直下において７０〜１２０ｍ／ｓであることを特徴とする。
【００２３】
また、噴出口を円筒部の底面に向かって傾斜させたことを特徴とする。そして、本発明によれば高速噴流が漏れでたり、水滴の飛散が発生しないため、使用者が不快とならないことができる手乾燥装置が得られる。
【００２４】
また、チャンバー部を二個の軸受で支持することを特徴とする。そして、本発明によればチャンバー部の回転をしっかりと支持することで、チャンバー部を安定して回転させることができることができる手乾燥装置が得られる。
【００２５】
また、チャンバー部の下部側にて、チャンバー部を二個の軸受で支持することを特徴とする。
【００２６】
また、チャンバー部の送風機との連結する空気通路が円筒形状となっており、前記空気通路の外周部分に軸受を二個使用して支持していることを特徴とする。
【００２７】
また、円筒部の直径よりも軸受の外径が小さいことを特徴とする。
【００２８】
また、チャンバー部の高圧空気と接する面に前記高圧空気の圧力による変形を防止するための補強リブを設置したことを特徴とする。そして、本発明によればチャンバー部の内部の静圧による荷重に耐久できる強度を持たせ、また空気漏れを発生しない構成とすることができる手乾燥装置が得られる。
【００２９】
また、空気通路の外周部分に高圧空気の漏れを防止するシール構成部をもつことを特徴とする。
【００３０】
また、円筒部の円筒面の表面の一部を撥水加工したことを特徴とする。そして、本発明によれば円筒部の円筒面や底面に水滴が付着しにくく、また付着した水滴を除去できる構成とすることができる手乾燥装置が得られる。
【００３１】
また、円筒部の円筒面の表面の一部を、撥水を促進する凹凸形状としたことを特徴とする。
【００３２】
また、円筒部の円筒面を内周に向かって下方に傾斜させたことを特徴とする。
【００３３】
また、円筒部の底面を外周に向かって下方に傾斜させたことを特徴とする。
【００３４】
また、円筒部の中心軸を床に対して垂直または急傾斜としたことを特徴とする。そして、本発明によれば手乾燥装置を床に設置した場合は、円筒部の向きを床に対して垂直または急傾斜させることで、使いやすさを向上できることができる手乾燥装置が得られる。
【００３５】
また、円筒部の中心軸を床に対して傾斜させたことを特徴とする。そして、本発明によれば手乾燥装置を壁面に設置した場合は、円筒部の向きを設置高さに併せて傾斜させることで、使いやすさを向上できることができる手乾燥装置が得られる。
【００３６】
また、円筒部の中心軸を床に対して水平または緩傾斜としたことを特徴とする。そして、本発明によれば手乾燥装置を洗面所のカウンターに設置した場合は、円筒部の向きを床に対して水平または緩傾斜させることで、使いやすさを向上できることができる手乾燥装置が得られる。
【００３７】
また、円筒部の底面を内周に向かって下方に傾斜させ、前記底面の中央にドレン穴を設置したことを特徴とする。そして、本発明によればドレン穴とドレンホースを中央に設置して回転軸のある箇所に設置することで邪魔にならないことができる手乾燥装置が得られる。
【００３８】
また、ドレン穴とドレン排水を貯蔵するドレンタンクを接続するドレンホースが、空気通路の内部を通過する構成としたことを特徴とする。
【発明の効果】
【００３９】
本発明によれば前記円筒部の全周に前記噴出口を設置したことにより乾燥する時間を短縮することで使用者の煩わしさを軽減できる。また、手乾燥装置の運転する時間も短縮できるため消費電力を削減したり、手乾燥装置の寿命を延長できるという効果のある手乾燥装置を提供できる。
【００４０】
また、円筒部の中心軸を回転軸としてチャンバー部が回転することにより、手に高速風がまんべんなくあたり、手に付着した水分を効率よく吹き飛ばすことができ、必要以上に噴出口を設置しなくてもよいため、風量を低減できかつ、消費電力を低減することができるという効果のある手乾燥装置を提供できる。
【００４１】
また、円筒部の円筒面の全周に等間隔に複数個の噴出口を有し、各々の前記噴出口の間に噴流を発生しない箇所を設置したことにより同様の効果のある手乾燥装置を提供できる。
【００４２】
また、噴出口から発生する高速噴流の速度ベクトル成分が円筒部の円周面の接線成分をもつことにより同様の効果のある手乾燥装置を提供できる。
【００４３】
また、チャンバー部の回転する動作が、送風機の運転開始と運転停止と一致したことにより同様の効果のある手乾燥装置を提供できる。
【００４４】
また、噴出口から発生した高速噴流の風速が前記噴出口の直下において７０〜１２０ｍ／ｓであることにより同様の効果のある手乾燥装置を提供できる。
【００４５】
また、噴出口を円筒部の底面に向かって傾斜させたことにより手を乾燥させて清潔にする機能を損なうことなく、水滴が飛散することで衣服が汚れず、快適に使用できるという効果のある手乾燥装置を提供できる。
【００４６】
また、チャンバー部を二個の軸受で支持することにより安定して回転することで軸受への余分な負担を軽減でき、手乾燥装置の寿命を延長できるという効果のある手乾燥装置を提供できる。
【００４７】
また、チャンバー部の下部側にて、チャンバー部を二個の軸受で支持することにより同様の効果のある手乾燥装置を提供できる。
【００４８】
また、チャンバー部の送風機との連結する空気通路が円筒形状となっており、前記空気通路の外周部分に軸受を二個使用して支持していることにより同様の効果のある手乾燥装置を提供できる。
【００４９】
また、円筒部の直径よりも軸受の外径が小さいことにより同様の効果のある手乾燥装置を提供できる。
【００５０】
また、チャンバー部の高圧空気と接する面に前記高圧空気の圧力による変形を防止するための補強リブを設置したことにより静圧を維持して、空気漏れを防ぐことができるため、消費電力のロスを防ぐことができるという効果のある手乾燥装置を提供できる。
【００５１】
また、空気通路の外周部分に高圧空気の漏れを防止するシール構成部をもつことにより同様の効果のある手乾燥装置を提供できる。
【００５２】
また、円筒部の円筒面の表面の一部を撥水加工したことにより円筒部を常に清潔に保つことで、使用者が複数いる場合でも快適に使用することができるという効果のある手乾燥装置を提供できる。
【００５３】
また、円筒部の円筒面の表面の一部を、撥水しやすい凹凸形状としたことにより円筒部を常に清潔に保つことで、使用者が複数いる場合でも快適に使用することができるという効果のある手乾燥装置を提供できる。
【００５４】
また、円筒部の円筒面を内周に向かって下方に傾斜させたことにより同様の効果のある手乾燥装置を提供できる。
【００５５】
また、円筒部の底面を外周に向かって下方に傾斜させたことにより同様の効果のある手乾燥装置を提供できる。
【００５６】
また、円筒部の中心軸を床に対して垂直または急傾斜としたことにより使いにくさによる不便さがなくなり、快適に使用できるという効果のある手乾燥装置を提供できる。
【００５７】
また、円筒部の中心軸を床に対して傾斜させたことにより使いにくさによる不便さがなくなり、快適に使用できるという効果のある手乾燥装置を提供できる。
【００５８】
また、円筒部の中心軸を床に対して水平または緩傾斜としたことにより使いにくさによる不便さがなくなり、快適に使用できるという効果のある手乾燥装置を提供できる。
【００５９】
また、円筒部の底面を内周に向かって下方に傾斜させ、前記底面の中央にドレン穴を設置したことにより構成を簡略とすることで、分解による清掃やメンテナンスが簡略化するという効果のある手乾燥装置を提供できる。
【００６０】
また、ドレン穴とドレン排水を貯蔵するドレンタンクを接続するドレンホースが、空気通路の内部を通過する構成としたことにより同様の効果のある手乾燥装置を提供できる。
【発明を実施するための最良の形態】
【００６１】
本発明の請求項１記載の発明は、手を挿入する円筒部を有し、前記円筒部の手を挿入する挿入部に噴出口を持ち、送風機から送風された空気は、前記送風機と前記噴出口を連接するチャンバー部を経由して、前記噴出口より高速噴流を前記円筒部の内部に噴射する手乾燥装置において、前記円筒部の全周に前記噴出口を設置したものであり、手を挿入する空間の全周から高速噴流が噴射されるため、手を乾かす際に高速噴流が当たらない死角が発生しにくい。したがって、手を不要に動作する必要がなくなり、結果的に乾燥する時間を短縮することができる。また手を挿入する空間を円筒とすることで間口の広い状態とできるため、手を挿入しやすく衛生的にできるという作用を有する。
【００６２】
また、円筒部の中心軸を回転軸としてチャンバー部が回転するものであり、チャンバー部が回転することで風量が少なく高速噴流を噴射する噴出口の開口部が少ない場合でも、開口部がチャンバー部の回転と共に回転するため、全周から高速噴流を手に当てることができる。したがって、手を不要に動作する必要がなくなり、結果的に乾燥する時間を短縮することができるという作用を有する。
【００６３】
また、噴出口を円筒部の底面に向かって傾斜させたものであり、噴出口を円筒部の底面側に向けているため、高速噴流が円筒部の空間から漏れたり、水滴が飛散することがなく、使用者が清潔かつ快適に使用できるという作用を有する。
【００６４】
また、チャンバー部を二個の軸受で支持するものであり、チャンバー部が安定して回転することで、使用者に不快な振動による騒音を発生しないという作用を有する。
【００６５】
また、チャンバー部の高圧空気と接する面に前記高圧空気の圧力による変形を防止するための補強リブを設置したものであり、チャンバー部の補強をリブにより実施することで、チャンバー部の内部の静圧による荷重に耐久でき、変形による破壊や品質不良を未然に防ぐことができる。
【００６６】
また、軸受部分からの空気漏れを発生しないように、シール構成部を設置してチャンバー部の内部の静圧を維持してエネルギーロスを防ぐという作用を有する。
【００６７】
また、円筒部の円筒面の表面の一部を撥水加工したものであり、円筒部の円筒面の表面を撥水しやすい凹凸形状に処理したり、傾斜させることで水はけを良くして、水滴の付着ができにくくすることができ、また円筒部はチャンバー部の一部として回転するため水滴が遠心力で円筒面の周辺にいきやすいため、円筒部の底面を外周に向かって下方に傾斜させて水はけを良くして、水滴をドレンに流し込むことで、常に乾燥した清潔な状況を作り出せるという作用を有する。
【００６８】
また、円筒部の中心軸を床に対して垂直または急傾斜としたものであり、手乾燥装置を床に設置させる場合には、円筒部の中心軸を床に対して垂直または急傾斜させることで使用者の手を挿入しやすい配置とできるため使い勝手がよいという作用を有する。
【００６９】
また、円筒部の中心軸を床に対して傾斜させたものであり、手乾燥装置を壁面に設置させる場合には、円筒部の中心軸を床に対して傾斜させることで使用者の手を挿入しやすい配置とできるため使い勝手がよいという作用を有する。
【００７０】
また、円筒部の中心軸を床に対して水平または緩傾斜としたものであり、手乾燥装置を洗面所のカウンターに設置させる場合には、円筒部の中心軸を床に対して水平または緩傾斜させることで使用者の手を挿入しやすい配置とできるため使い勝手がよいという作用を有する。
【００７１】
また、円筒部の底面を内周に向かって下方に傾斜させ、前記底面の中央にドレン穴を設置したものであり、ドレン穴とドレンホースを中央に持っていくことでドレンホースをチャンバー部と一緒に回転させても不具合がなく、構成を簡略化できるという作用を有する。
【００７２】
以下、本発明の参考および実施の形態について図面を参照しながら説明する。
【００７３】
（参考の形態１）
本発明の参考の形態１は、図１、図２に示すように、手を挿入する空間を持った円筒部１を有し、手を挿入する手の挿入口である円筒部１の挿入部２３にノズル形状となっている噴出口２を持ち、送風機３から送風された大気圧との差圧が５〜１０ｋＰａの高圧空気は、送風機３と噴出口２を連接するチャンバー部４を経由して、噴出口２より高速噴流を中央に噴射し、手に高速噴流を接触させて手に付着した水分を分離する構成となっており、噴出口２は円筒部１の全周に配置されている。上記構成において、濡れた手を円筒部１に挿入すると、検知手段である赤外線センサ５により手の存在を検知して、送風機３および発熱手段であるＰＴＣヒータ６を動作させる。これにより本体下部に設置された吸込口７から外部空気を吸込み、送風機３とＰＴＣヒータ６を経由して温風が形成されて噴出口２より高速噴流が送風される。このとき差し出した手に温風が当たり、手を乾燥させる。
【００７４】
（実施の形態１）
参考の形態１と同一部分は同一番号を附し、詳細な説明は省略する。
【００７５】
本発明の実施の形態１は、図２に示すように、円筒部１の中心軸８を回転軸９としてチャンバー部４が回転駆動できるように設置されているものである。上記構成において、円筒部１の円筒面１０の全周に等間隔に複数個の噴出口２が設置されている。各々の噴出口２の間には間隔があり、噴流を発生しない箇所を設置している。これはチャンバー部４が回転することで噴出口２が回転軸９を中心として回転移動するため、噴出口２が全周にない場合でも十分に濡れた手に高速噴流を接触させることができる。回転の駆動力は、高速噴流の反力により。高速噴流の速度ベクトル成分が円筒部１の円筒面１０の接線成分をもつことで円筒面１０の半径と噴流の反力の接線方向成分のモーメントによる駆動力により回転される。したがって、チャンバー部４の回転する動作は、送風機３の運転開始による高速噴流の発生により起動を開始して、送風機３の運転を停止による高速噴流の発生がなくなり駆動力がなくなるため停止する。高速噴流の風速は、噴出口２の直下で７０〜１２０ｍ／ｓであれば、噴流の推進力と中心軸８からの距離によるモーメントの駆動力により、チャンバー部４の回転の起動および駆動を実施することができる。
【００７６】
噴出口２が回転することで、濡れた手に当たる噴流方向が回転、変化、断続的、周期的に当たり、濡れた手に万遍なく当たり、効率的に手に付いた水分を吹き飛ばし、濡れた手を効率的に乾燥させることとなる。
【００７７】
（実施の形態２）
参考の形態１または実施の形態１と同一部分は同一番号を附し、詳細な説明は省略する。
【００７８】
本発明の実施の形態２は、図３に示すように、噴出口２を円筒部１の底面１１に向かって傾斜させることで、噴出口２から送風される高速噴流が底面１１の方向に噴流されるため、手を挿入する円筒部１の外に漏れ、水滴を撒き散らすことを回避できる。
【００７９】
（実施の形態３）
参考の形態１または実施の形態１〜２のいずれかと同一部分は同一番号を附し、詳細な説明は省略する。
【００８０】
本発明の実施の形態３は、図３に示すように、チャンバー部４を回転できるように支持するため、軸受１２を設置している。軸受１２は二個設置することで剛性を持たすことができる。軸受１２は深溝玉軸受を使用している。チャンバー部４に高圧空気を供給する空気通路１３の箇所は円筒形状となっており、円筒形状部の外周部分に軸受１２を二個使用して支持する。
【００８１】
（実施の形態４）
参考の形態１または実施の形態１〜３のいずれかと同一部分は同一番号を附し、詳細な説明は省略する。
【００８２】
本発明の実施の形態４は、図３に示すように、チャンバー部４の重量を小さく起動しやすくするため、チャンバー部４を薄板としている。このときチャンバー部４の内部の静圧を高く、荷重に耐久させるためチャンバー部４の内部に複数の補強リブ１４を設置して強度を向上している。またチャンバー部４の回転を支持するため軸受１２を設置しているが、軸受１２に深溝玉軸受を使用する場合は、内輪１５と外輪１６と玉１７の間に隙間が発生するため空気漏れができる。この空気漏れを防ぐために軸受１２を二個設置した間にシール構成部１８を設置している。
【００８３】
（実施の形態５）
参考の形態１または実施の形態１〜４のいずれかと同一部分は同一番号を附し、詳細な説明は省略する。
【００８４】
本発明の実施の形態５は、図４に示すように、円筒部１の円筒面１０の表面の一部を撥水加工を実施する、または円筒面１０の表面の一部を凹凸形状１９にすることで、手に付着した水分を手から分離させた時に発生する水滴が円筒面１０の表面に付着しにくくなり、常に清潔な状態とできる。また円筒部１の円筒面１０に傾斜を持たせて、内周に向かうほど下方に傾斜させることで水滴がつきにくい状態となる。
【００８５】
（実施の形態６）
参考の形態１または実施の形態１〜５のいずれかと同一部分は同一番号を附し、詳細な説明は省略する。
【００８６】
本発明の実施の形態６は、図５に示すように、手乾燥装置を床に設置する場合は、円筒部１に手を挿入するときに使用者が上方から手を挿入するため、円筒部１の開口部をできる限り手乾燥装置の上方に設置させることが望ましい。したがって円筒部１の中心軸８を床に対して垂直に設置させることで手の挿入が容易になる。本体の設置高さなどによっては円筒部１の中心軸８を急傾斜した設置が適す場合もある。
【００８７】
（実施の形態７）
参考の形態１または実施の形態１〜６のいずれかと同一部分は同一番号を附し、詳細な説明は省略する。
【００８８】
本発明の実施の形態７は、図６に示すように、手乾燥装置を壁面に設置する場合は、円筒部１に手を挿入するときに使用者が斜め上方から手を挿入するため、円筒部１の開口部を傾斜させた位置に設置させることが望ましい。したがって円筒部１の中心軸８を床に対して傾斜させて設置させることで手の挿入が容易になる。
【００８９】
（実施の形態８）
参考の形態１または実施の形態１〜７のいずれかと同一部分は同一番号を附し、詳細な説明は省略する。
【００９０】
本発明の実施の形態８は、図７に示すように、手乾燥装置を洗面所のカウンターに設置する場合は、円筒部１に手を挿入するときに使用者がほぼ水平に手を挿入するため、円筒部１の開口部を手乾燥装置の前方に設置させることが望ましい。したがって円筒部１の中心軸８を床に対して水平に設置させることで手の挿入が容易になる。本体の設置高さなどによっては円筒部１の中心軸８を緩傾斜した設置が適す場合もある。
【００９１】
（実施の形態９）
参考の形態１または実施の形態１〜８のいずれかと同一部分は同一番号を附し、詳細な説明は省略する。
【００９２】
本発明の実施の形態９は、図８に示すように、ドレン穴２０を円筒部１の底面１１の中央に設置させ、円筒部１の底面１１を中央に向かって略傾斜させることで水滴を回収しやすくして、手から除去した水滴をドレン穴２０、ドレンホース２１を経由してドレンタンク２２に回収する。ドレンホース２１はドレン穴２０に接続されておりチャンバー部４とともに回転する。しかしドレンホース２１は中央に設置されているため、他の部材に接触することがない。
【産業上の利用可能性】
【００９３】
本発明にかかる手乾燥装置は、ノズル部から噴出される噴流が、挿入した手に断続的に接触することにより手に付着した水分を乾かしやすくすることで手乾燥を短時間に行うという効果がある。
【００９４】
よって、洗面所やトイレ等で手を洗い、濡れた手を乾燥させる装置等に有効であり、また、一般的に液体によって濡れたものを乾燥させる用途としても適用できる。
【図面の簡単な説明】
【００９５】
【図１】本発明の参考の形態１の構造を示す斜視図
【図２】本発明の参考の形態１と同実施の形態１の構造を示す斜視断面図
【図３】本発明の実施の形態２、３、４の構造を示す斜視断面図
【図４】本発明の実施の形態５の構造を示す斜視図
【図５】本発明の実施の形態６の構造を示す斜視図
【図６】本発明の実施の形態７の構造を示す斜視図
【図７】本発明の実施の形態８の構造を示す斜視図
【図８】本発明の実施の形態９の構造を示す斜視断面図
【図９】従来の手乾燥装置の一例を示す縦断面図
【図１０】同斜視図
【符号の説明】
【００９６】
１    円筒部
２    噴出口
３    送風機
４    チャンバー部
５    赤外線センサ
６    ＰＴＣヒータ
７    吸込口
８    中心軸
９    回転軸
１０  円筒面
１１  底面
１２  軸受
１３  空気通路
１４  補強リブ
１５  内輪
１６  外輪
１７  玉
１８  シール構成部
１９  凹凸形状
２０  ドレン穴
２１  ドレンホース
２２  ドレンタンク
２３  挿入部
【図１】
0004760364.tif 000002
【図２】
0004760364.tif 000003
【図３】
0004760364.tif 000004
【図４】
0004760364.tif 000005
【図５】
0004760364.tif 000006
【図６】
0004760364.tif 000007
【図７】
0004760364.tif 000008
【図８】
0004760364.tif 000009
【図９】
0004760364.tif 000010
【図１０】
0004760364.tif 000011